(57)【要約】【課題】一人で回動させることが可能で作業工数を削減できるロックピンおよび連結構造を提供すること。【解決手段】ロックピン３が、頭部８８と、頭部８８に連なると共に、切欠部３５と切欠部３５よりも先端側に位置するねじ部とを有する軸３２とを備えるようにする。また、頭部８８が、軸３２につながると共に、軸方向に延在するねじ穴５０を有する本体部３１と、本体部３１のねじ穴５０にねじ込まれて、本体部３１に固定されたアイボルト６０とを有するようにする。【選択図】図２
2014046348.tif 000002
【特許請求の範囲】
【請求項１】
工具を係止可能な係止部を有する頭部と、
上記頭部に連なると共に、切欠部と、切欠部よりも先端側に位置するねじ部とを有する軸と
を備えることを特徴とするロックピン。
【請求項２】
請求項１に記載のロックピンにおいて、
上記頭部は、
上記軸に一体に形成されると共に、軸方向に延在するねじ穴を有する本体部と、
上記本体部の上記ねじ穴にねじ込まれて、上記本体部に固定されたアイボルトと
を有することを特徴とするロックピン。
【請求項３】
請求項１または２に記載のロックピンにおいて、
ロックピン挿通部材に係合することにより上記ロックピン挿通部材に対して上記頭部が回動することを防止するための係合部を備えることを特徴とするロックピン。
【請求項４】
請求項３に記載のロックピンと、
上記ロックピン挿通部材と
を備え、
上記ロックピン挿通部材は、
上記ロックピンを挿通するためのロックピン挿通穴と、
上記ロックピン挿通穴に連通すると共に、上記ロックピン挿通穴の軸方向に直交する方向に延在する軸嵌合穴と、
上記係合部に係合可能で上記係合部に係合すると上記ロックピンが上記ロックピン挿通穴に対して回転不可になる被係合部と
を有し、
上記軸嵌合穴に嵌合される軸部材と、
上記ロックピン挿通部材に対して上記ロックピンを上記係合部が上記被係合部に係合する方向に付勢する付勢部材と
を備えることを特徴とする連結構造。
【発明の詳細な説明】
【技術分野】
【０００１】
本発明は、ロックピンおよび連結構造に関する。本発明は、例えば、圧延機の圧延ロールを駆動軸に連結されたカップリングに連結するのに使用するロックピン等に関し、また、圧延機の圧延ロールを駆動軸に連結されたカップリングに連結する連結構造等に関する。
【背景技術】
【０００２】
従来、ロックピンとしては、特開平２−２２９６０７号公報（特許文献１）に記載の連結構造に使用されているものがある。このロックピンは、圧延機のロールと、駆動軸に取り付けたカップリングとの連結に使用されている。このロックピンは、軸方向の中央部に凹部である切欠部を有する。
【０００３】
このロックピンは、上記切欠部を、カップリングのロールネック嵌合孔側に向けた状態で、カップリングのロックピン挿通孔に挿通されるようになっている。そして、この状態で、ロールネック部をカップリングのロールネック嵌合孔に挿入するようになっている。そして、その後、ロックピンを回動して、ロックピンの周部を、ロールネック部の係合溝に係合することにより、ロールネック部の軸方向への移動を規制するようになっている。
【０００４】
また、上記ロールネック部の軸方向の移動を確実に防止するため、ロックピンの周部を、ロールネック部の係合溝に係合している状態で、ロックピンの回り止めを行っている。この回り止めは、ロックピンのボルトの頭部に突出部を形成すると共に、カップリングに上記突出部に対応する凹部を形成して、上記突出部を上記凹部に係止することにより行っている。上記回り止めは、付勢部材で、上記突出部を上記凹部の方に常時付勢することにより、解除されないようになっている。そして、ロックピンの先端にナットを螺合している。
【０００５】
ところで、上記従来のロックピンでは、ロックピンの係合を解除する場合、ロックピンの先端のナット側の作業員が、ロックピンの軸をロックピンの頭部側に付勢部材の付勢力に打ち勝つように押圧して、上記突出部を上記凹部から引き離す。その状態で、ロックピンの頭部側のもう一人の作業員が、ロックピンをレンチ等で回動させて、ロックピンの係合を解除している。
【０００６】
しかしながら、上記従来のロックピンでは、ロックピンを回動させるのに、作業員が、ロックピンの先端のナット側と頭部側との両端に一人ずつ計二人必要であって、作業工数がかかるという問題がある。
【先行技術文献】
【特許文献】
【０００７】
【特許文献１】特開平２−２２９６０７号公報
【発明の概要】
【発明が解決しようとする課題】
【０００８】
そこで、本発明の課題は、一人で係合を解除することが可能で作業工数を削減できるロックピンおよび連結構造を提供することにある。
【課題を解決するための手段】
【０００９】
上記課題を解決するため、この発明のロックピンは、
工具を係止可能な係止部を有する頭部と、
上記頭部に連なると共に、切欠部と、切欠部よりも先端側に位置するねじ部とを有する軸と
を備えることを特徴としている。
【００１０】
本発明によれば、頭部が工具を係止可能な係止部を有しているから、その係止部に工具の係止部を係止することができる。したがって、頭部の係止部が工具の係止部に係止している状態で、工具を引っ張ることにより、ロックピンの頭部と、ロックピン挿通部材との間に摩擦力が働かない状態にした後、工具から頭部にトルクを付与することによって、ロックピンを回動させることができる。したがって、一人の作業員が、工具を引っ張った状態で、工具にトルクを付与するだけで、ロックピンを回動させることができるから、ロックピンを用いた係合の作業工数を削減できる。
【００１１】
また、一実施形態では、
上記頭部は、
上記軸に一体に形成されると共に、軸方向に延在するねじ穴を有する本体部と、
上記本体部の上記ねじ穴にねじ込まれて、上記本体部に固定されたアイボルトと
を有する。
【００１２】
上記実施形態によれば、本体部に形成された軸方向に延在するねじ穴にねじ込まれたアイボルトを備えているから、アイボルトの輪状の頭部に傘の柄状の係止部を有する工具の上記係止部を係止させることができる。したがって、上記係止部がアイボルトの環状の頭部に係止している状態で、工具を引っ張ることにより、ロックピンの頭部と、ロックピン挿通部材との間に摩擦力が働かない状態にした後、工具からアイボルトの輪状の頭部にトルクを付与することによって、ロックピンを回動させることができる。したがって、一人の作業員が、工具を引っ張った状態で、工具にトルクを付与するだけで、ロックピンを回動させることができるから、ロックピンを用いた係合の作業工数を削減できる。
【００１３】
また、一実施形態では、
ロックピン挿通部材に係合することにより上記ロックピン挿通部材に対して上記頭部が回動することを防止するための係合部を備える。
【００１４】
上記実施形態によれば、係合部をロックピン挿通部材に係合することにより、ロックピンの回り止めを行うことができる。
【００１５】
また、本発明の連結構造は、
本発明のロックピンと、
上記ロックピン挿通部材と
を備え、
上記ロックピン挿通部材は、
上記ロックピンを挿通するためのロックピン挿通穴と、
上記ロックピン挿通穴に連通すると共に、上記ロックピン挿通穴の軸方向に直交する方向に延在する軸嵌合穴と、
上記係合部に係合可能で上記係合部に係合すると上記ロックピンが上記ロックピン挿通穴に対して回転不可になる被係合部と
を有し、
上記軸嵌合穴に嵌合される軸部材と、
上記ロックピン挿通部材に対して上記ロックピンを上記係合部が上記被係合部に係合する方向に付勢する付勢部材と
を備えることを特徴としている。
【００１６】
本発明によれば、一つの作業員でロックピンを容易に回動できて、連結構造の構築の作業工数を低減できる。
【発明の効果】
【００１７】
本発明によれば、一人で回動させることが可能で作業工数を削減できるロックピンおよび連結構造を実現できる。
【図面の簡単な説明】
【００１８】
【図１】本発明の一実施形態の圧延ロールとカップリングとの連結構造を示す図である。
【図２】ロックピンの頭部を説明するための図である。
【図３】ロックピンを、カップリングに対して回動不可にするロックピンの回り止め構造を説明するための模式図である。
【図４】ロックピンを回動させるのに使用できる工具の一例を示す図である。
【発明を実施するための形態】
【００１９】
以下、本発明を図示の形態により詳細に説明する。
【００２０】
図１は、本発明の一実施形態の圧延ロール１とカップリング２との連結構造を示す図である。
【００２１】
この連結構造は、軸部材の一例としての圧延ロール１と、ロックピン挿通部材の一例としてのカップリング２と、ロックピン３と、付勢部材の一例としてのばね部材４と、ワッシャ５と、ナット６とを備え、ロックピン３は、頭部８８と、軸３２とを備え、頭部８８は、本体部３１と、本体部３１に固定されたアイボルト６０とを有する。上記軸３２は、本体部３１に連なっている。上記軸３２は、切欠部３５と、ねじ部３６とを有し、ねじ部３６は、軸３２の頭部８８側とは反対側の先端部に位置し、切欠部３５は、頭部８８と、ねじ部３６との間に位置している。上記ばね部材４は、軸３２を取り囲むように配置されている。
【００２２】
上記カップリング２のロックピン挿通穴３９における軸３２が嵌合される側の端部は、径方向の外方に延在する段部を有し、この段部よりも軸方向の外方側の内周面部の内径は、段部よりも軸方向の内方側の内周面部よりも大径になっている。このようにして、軸３２を取り囲むばね部材４の一部を、ロックピン挿通穴３９の大径部内に収容できるようにして、ばね部材４の一端部が上記段部から反力を得られるようにしている。
【００２３】
図１に示すように、上記ワッシャ５は、軸３２を取り囲むように配置されると共に、ばね部材４の他端部に当接している。また、上記ナット６は、軸３２のねじ穴に螺合してワッシャ５を頭部８８側に締め付けている。
【００２４】
上記連結構造は、例えば、次のように形成されることができる。詳しくは、先ず、ロックピン３の切欠部３５が軸嵌合穴の一例としてのロールネック嵌合穴４１側に向いている状態で、ロックピン３を、ロックピン挿通穴３９に挿通する。その後、圧延ロール１のロールネック部４３を、ロールネック嵌合穴４１に挿入する。最後に、以下に詳述する方法で、ロックピン３を回動することにより、ロックピン３の周部４７を、ロールネック部４３の係合溝４８に係合して、ロールネック部４３の軸方向の移動の規制を行い、連結構造を形成している。
【００２５】
図２は、ロックピン３の頭部８８を説明するための図である。
【００２６】
図２に示すように、ロックピン３の頭部８８の本体部３１は、軸方向に延在するねじ穴５０を有している。このねじ穴５０に、アイボルト（頭部が輪状のボルト）６０の軸部を螺合して締め付けた後、本体部３１と、アイボルト６０とを溶接により固定している。このようにして、ロックピン３の頭部８８を形成している。
【００２７】
図２に示すように、上記ロックピン３は、径方向に延在する有底のピン挿通穴６５を有し、そのピン挿通穴６５には、ピン６７が挿通されて固定されている。上記ピン６７は、本体部３１よりも径方向の外方側に突出している。上記ピン６７は、ロックピン３の係合部を構成している。
【００２８】
図３は、ロックピン３を、カップリング２に対して回動不可にするロックピン３の回り止め構造を説明するための模式図である。尚、図３において、６７は、図２に６５で示すピン挿入穴に挿通されているピン６７を示している。
【００２９】
図３に示すように、上記カップリング２は、ピン６７の頭部の曲率に略一致する略半円状の切欠部９０を有している。この切欠部９０は、ロックピン挿通部材の被係合部を構成している。この実施形態では、人が、ロックピン３を、カップリング２に対して図３に矢印Ａで示す方向に、ロックピン３の軸方向に移動させることにより、切欠部９０に嵌りこんで切欠部９０に係合していたピン６７の頭部を、切欠部９０から引き離すことができて、ロックピン３の回り止めを解除できるようになっている。
【００３０】
一方、図１を参照して、人が、ロックピン３に力を付与しない場合には、ばね部材４によってワッシャ５が受ける図３に矢印Ｂで示す方向の軸方向の力により、ピン６７の頭部が切欠部９０に嵌り込んで、ロックピン３が、カップリング２に対して回動できないようになっている。このようにして、連結構造において、ロールネック部４３の軸方向の移動の規制を確実なものにしている。
【００３１】
尚、上記切欠部９０は、カップリング２におけるロックピン挿通穴３９の周囲に、１８０度の位相差を設けた状態で２箇所形成されている。このことから、上記ロックピン３は、カップリング２に対するロールネック部４３の軸方向の移動を規制する軸方向規制位置と、ロールネック部４３が、カップリング２に挿通可能な軸挿入可能位置とで、回り止めされることが可能になっている。
【００３２】
図４は、上記ロックピン３を回動させるのに使用できる工具の一例を示す図である。
【００３３】
この工具は、軸部７０と、取手部７１とを有する傘の柄において、その取手部７１とは反対側の軸部７０の端部に、軸部７０の延在方向に垂直な方向に延在する棒状の把持部７２を接続してなっている。この工具の取手部７１は、ロックピン３の頭部８８のアイボルト６０の輪状の頭部に引っ掛けられるようになっている。上記アイボルト６０の輪状の頭部は、頭部８８の係止部を構成している。ユーザは、工具の取手部７１がアイボルトの環状の頭部に係止している状態で、工具の把持部７２を引っ張ることにより、ロックピン３の回り止めを解除できるようになっている。また、ユーザは、ロックピン３の回り止めが解除されている状態で、把持部７２を軸部７０を中心として回動させることにより、取手部７１を、軸部７０を中心に回動させることができて、取手部７１に係止しているアイボルトの輪状の頭部を回動できるようになっており、ロックピン３を回動できるようになっている。
【００３４】
上記実施形態によれば、本体部３１に形成された軸方向に延在するねじ穴５０にねじ込まれたアイボルト６０を備えているから、例えば、アイボルト６０の輪状の頭部に、傘の柄の取手状の工具の係止部を係止させることができる。したがって、上記係止部がアイボルトの環状の頭部に係止している状態で、工具を引っ張ることにより、図３で説明したロックピン３の回り止めを解除でき、また、ロックピン３の回り止めを解除した状態で、工具からアイボルト６０の輪状の頭部にトルクを付与することによって、ロックピン３を回動させることができる。したがって、一人の作業員が、工具を引っ張った状態で、工具にトルクを付与するだけで、ロックピン３を回動させることができるから、ロックピン３を用いた係合の作業工数を削減できる。
【００３５】
また、上記実施形態によれば、ロックピン３が、カップリング２に係合することによりカップリング２に対して頭部８８が回動することを防止するピン６７を備えるから、ロックピン３の回り止めを確実に行うことができて、ロールネック部４３の軸方向の移動の規制が確実なものになる。
【００３６】
また、上記実施形態によれば、一つの作業員でロックピンを容易に回動できるから、連結構造の構築の作業工数を低減できる。
【００３７】
尚、上記実施形態では、ロックピン３に固定されたピン６７の頭部をカップリング２の切欠部９０に嵌合することにより、ロックピン３の回り止めを行った。しかしながら、この発明では、ロックピンの頭部のロックピン挿通部材側の面を、周方向に交互に凹凸が現れるように加工すると共に、その頭部の面に接触するロックピン挿通部材の面を、上記凹凸に係合する凹凸状に加工して、上記頭部の面の凹凸と、上記ロックピン挿通部材の面の凹凸とを嵌合うことによりロックピンの回り止めを行っても良い。また、上記実施形態では、ロックピン３の回り止めを、ロックピン３に凸部と、カップリング２の凹部とを係合することにより行ったが、この発明では、ロックピンに凹部を形成すると共に、カップリングに凸部を形成して、ロックピンの凹部とカップリングの凸部とを係合することにより、ロックピンの回り止めを行っても良い。このように、回り止め機構は、ロックピンが、ロックピン挿通部材に対して相対回転不可になる構造であれば、如何なる構造でも良い。
【００３８】
また、この発明では、カップリングの回り止め機構が存在しなくても良い。回り止め機構がなくても、摩擦力により、ロックピンが回りにくくすることができ、この場合に、ロックピンをカップリングから引き離すことで、その摩擦力が働かなくすることができるからである。
【００３９】
また、上記実施形態では、アイボルト６０が、本体部３１のねじ穴５０に螺合されて締め付けられた後、本体部３１に溶接により構成されていたが、この発明では、アイボルトは、本体部のねじ穴に螺合されて締め付けられるだけで良い。尚、この場合、工具の回転方向が本体部へのアイボルトの締め付け方向に一致する方向に限られることは、言うまでもない。
【００４０】
また、上記実施形態では、ロックピン３の頭部８８を、軸３２につながる本体部３１と、本体部３１のねじ穴５０にねじ込まれたアイボルト６０とで構成し、頭部８８の係止部をアイボルト６０の輪状の頭部で構成した。しかしながら、本発明では、上記特許文献１に記載されている周知のロックピンの頭部の軸方向の外方側の端面に、Ｕ字状の金属部材一端部または両端部を溶接等により固定したり、上記周知のロックピンの頭部の軸方向の外方側の端面に、フック部材を溶接等により固定したりして、本発明のロックピンの頭部を形成しても良い。また、本発明では、軸部に雄ねじを有するフック部材を、本体部のねじ穴にねじ込むことにより、ロックピンの頭部を形成することもできる。
【００４１】
また、本発明のロックピンを、圧延機の圧延ロールを、駆動軸に連結されたカップリングに連結する連結構造以外の用途で使用できることは、勿論である。
【符号の説明】
【００４２】
１  圧延ロール
２  カップリング
３  ロックピン
４  ばね部材
３１  ロックピンの頭部の本体部
３２  ロックピンの軸
３５  ロックピンの切欠部
３６  ロックピンのねじ部
３９  カップリングのロックピン挿通穴
４１  カップリングのロールネック嵌合穴
５０  頭部の本体部のねじ穴
６０  ロックピンの頭部のアイボルト
６７  ロックピンのピン挿通穴に挿通固定されたピン
８８  ロックピンの頭部
９０  カップリングの切欠部
【図１】
2014046348.tif 000003
【図２】
2014046348.tif 000004
【図３】
2014046348.tif 000005
【図４】
2014046348.tif 000006